(57)【要約】      （修正有）【課題】現在主力の火力発電は、ＣＯ２が排出されるため地球温暖化の大きな問題がある。また原子力発電は放射線の管理が大変といった問題がある。水力発電はダム建設による環境問題、河川の生態系への影響といった問題がある。自然エネルギーを利用した太陽光発電は、エネルギー変換効率が高いといえず夜間はもちろん曇天、雨天時には大きく性能を落としてしまう。また需要を満たすには広大な面積が必要となる。風力発電は風が吹かなければ発電できないといった根本的な問題がある。【解決手段】この様な課題を解決する一つの発電方法として、重力と梃子の原理といった自然の力を利用し空気等の気体やその他液体をエネルギー源として発電をする方法とそのエネルギー発生装置を考案する。化石燃料を燃やさずＣＯ２を排出しないため地球温暖化の防止になり、放射能等の危険がなく安全で常時発電といった無駄のない省エネ発電である。【選択図】図５
2012036882.tif 000002
【特許請求の範囲】
【請求項１】
図１のように２つのシリンダー式タンクの気体または液体を重り電動スライダーにて重力ピストンに更に重さを掛けることで掛けた側の重力ピストンが気体または、液体をタービンへと送り出す仕組みを特徴とし、図２に特許請求の機構範囲の図を示す。
【請求項２】
前記重力ピストンは、図４及び、図５のように重り電動スライダーの往復移動連続制御によりシーソーのように交互に重力ピストンを動作させる機構を特徴とする。
【請求項３】
前記重り電動スライダーは、電動により重りをスライドさせシーソーのように交互に重力ピストンを押し下げる動作するが、重りをスライドさせる速さを電動により速くしたり、遅くしたりコントロールすることで重力ピストンの押し下げる速さもコントロールすることができることを特徴とする。
【請求項４】
前記重力ピストンの押し下げる速さをコントロールすることでタービンへの気体または液体を送る速さ（送る量）をコントロールすることができることを特徴とする。
【請求項５】
請求項１に図１のように２つのシリンダー式タンク気体または液体を重り電動スライダーにて重力ピストンに更に重さを掛けることで、掛けた側の重力ピストンが気体または液体をタービンへと送り出す仕組みを特徴とし、図２に特許請求の機構範囲の図を示すと記述しているが、シリンダー式タンクの数を４つにするなど、または重り電動スライダーの数を２つなどと数を変えた場合も特許請求の範囲とする。
【発明の詳細な説明】
【技術分野】
【０００１】  本発明は、重力と梃子の原理を利用した電力発電方法よるエネルギー発生装置に関するものである。
【背景技術】
【０００２】  現在電力の発電において、原子力発電、火力発電、水力発電といった発電方法が主力である。温暖化防止策として太陽光発電、風力発電といった自然エネルギーを利用した発電も進められているが、さらに重力と梃子の原理で発電する自然エネルギーを利用した発電方法を考案した。
【発明の開示】
【発明が解決しようとする課題】
【０００３】  現在主力の火力発電は、ＣＯ２が排出されるため地球温暖化の大きな問題がある。
また原子力発電は放射線の管理が大変といった問題がある。水力発電はダム建設による環境問題、河川の生態系への影響といった問題がある。自然エネルギーを利用した太陽光発電は、エネルギー変換効率が高いといえず夜間はもちろん、曇天、雨天時には大きく性能を落としてしまう。また需要を満たすには広大な面積が必要となる。風力発電は風が吹かなければ発電できないといった根本的な問題がある。
【課題を解決するための手段】
【０００４】  この様な課題を解決する一つの発電方法として、重力と梃子の原理といった自然の力を利用し空気等の気体や液体をエネルギー源として発電をする方法とそのエネルギー発生装置を考案する。
【発明の効果】
【０００５】  地球温暖化の問題、放射線の問題、環境問題といった問題を押さえ、さらに自然の力を利用し、化石燃料などの資源も使わず常時安定発電できるといった画期的な省エネ発電方法である。
【図面の簡単な説明】
【０００６】
【図１】  重力と梃子の原理を利用した電力発電方法の全体図であり、重り電動スライダーの重りがシーソーアームの中心にあるためシリンダー式タンクＡとシリンダー式タンクＢの重力ピストンの重さが同等となりシーソーアームが平衡状態で発電を停止している状態を説明する図である。
【図２】  重力と梃子の原理を利用した電力発電方法によるエネルギー発生装置の特許請求範囲を示す図である。シリンダー式タンクＡ、Ｂとその中で動作する重力ピストン、重り電動スライダーの主要機器により構成される。
【図３】  シーソーアームと重り電動スライダーについて説明する図である。シーソーアームは、電動により重りが往復移動を繰り返せる重り電動スライダーを据付て、天秤のように重りのある方が重力により下がり、この重りの往復移動によりシーソーのようにアームを交互に上下動作させる機構とする。重り電動スライダーは既にある一般な工業技術による電動で往復動作するスライダー装置を組み付けて使用する。
【図４】  重力と梃子の原理を利用した電力発電方法の全体図であり、重り電動スライダーにてシリンダー式タンクＡ側に重りを移動した場合、重力ピストンＡを重力により押し下げシリンダー式タンクＡ側の気体または液体をタービンに送り発電する状態を説明する図である。
【図５】  重力と梃子の原理を利用した電力発電方法の全体図であり、重り電動スライダーにてシリンダー式タンクＢ側に重りを移動した場合、重力ピストンＢを重力により押し下げシリンダー式タンクＢ側の気体または液体をタービンに送り発電する状態を説明する図である。
【発明を実施するための形態】
【０００７】  重力と梃子の原理を利用した電力発電は、シリンダー式タンクＡとシリンダー式タンクＢの気体または液体を電動動作による重り電動スライダーの重りの移動により重りを掛けた方の重力ピストンをその重力にて押し下げ気体または液体をタービンに送り込み電力を発電する仕組みである。シリンダー式タンクＡとシリンダー式タンクＢの重力ピストンは、重り電動スライダーの往復移動連続制御によりシーソーのように交互に押し下げる。重り電動スライダーはモーター等により、電動で重りをスライドさせる装置であるが、梃子の原理と重力を応用しているため、シリンダー式タンクの気体または液体を押し下げる重力ピストンの重さの数分の１以下の重りを使用しスライドさせるだけで数倍の重さがある重力ピストンを動作させることが可能となりタービンを回転させる大きな気体または液体によるエネルギーが発生する。
単純に説明すると小さなエネルギーの使用で数倍のエネルギーを発生させることになり、このエネルギーの発生で発電をする仕組みとなる。重り電動スライダーは、駆動電力とコンピュータ等による往復移動連続制御が必要となるが、発電量と比較にはならない少ない電力で動作でき、コンピュータ等よる制御技術、制御装置も一般的な産業の技術である。タービンへ送る気体または液体も吐出元のシリンダータンクがＡとＢで交互に入れ替わることになるが、これも吐出後の配管のバルブ切替交互制御で可能であり、一般的な産業の技術である。
【産業上の利用可能性】
【０００７】  電力発電所、製造工場内及び施設等の電力発電、小型発電機等のエネルギー発生装置として利用の可能性がある。また、既存のタービン式発電機及び発電設備も再利用することが可能であると思われる。
新たな常時発電装置、ＣＯ２の出ないクリーン発電装置であり、発電に対する化石燃料等も不要といった省エネ発電装置であるのため、産業利用の価値は非常に高いと思わる。
【符号の説明】
【０００８】１Ａ    シリンダー式タンクＡ
１Ｂ    シリンダー式タンクＢ
２Ａ    重力ピストンＡ
２Ｂ    重力ピストンＢ
３      重力ピストン吊りアーム
４      重力ピストン吊りアーム連結部
５      重力ピストン吊りアーム連結部駆動ピン
６      シーソーアーム
７      シーソーアーム吊りアーム連結部駆動ピン
８      シーソーアーム支点駆動部
９      シーソーアーム支点部駆動ピン
１０    重り電動スライダーモーター
１１    重り電動スライダー回転軸
１２    重りスライダー
１３    バランサー（重り）
１４    吐出側パイプ
１５    切り替えバルブ
１６    タービン送りパイプ
１７    タービン
１９    タービン回転軸
２０    発電機
２１    タービン吐き出しパイプ
２２    切り替えバルブ
２３    シリンダー式タンク送りパイプ
【図１】
2012036882.tif 000003
【図２】
2012036882.tif 000004
【図３】
2012036882.tif 000005
【図４】
2012036882.tif 000006
【図５】
2012036882.tif 000007